(57)【要約】【課題】全体的にまとまりがありながら複数の情報を同時に伝えることが可能で、かつ、それぞれの情報を十分に認識ないし把握させることが可能な広告出力方法および広告出力装置を提供すること。【解決手段】パソコン上で所定の操作がされると、ＣＰＵがハードディスクから起動プログラムを立ち上げ（ステップＳ１）、ハードディスクから静止画像情報および反復画像情報を読み出す。また、ＤＶＤプレイヤにおいて、ＤＶＤから第一動的画像情報および第二動的画像情報を読み出し、そのＲＧＢ画像データをＣＰＵ１１に出力する（ステップＳ２）。ＣＰＵは、それぞれの情報の形式を識別し（ステップＳ３）、それぞれの情報に関する設定を行い（ステップＳ４）、設定情報に従いそれぞれの情報に応じたＲＧＢ画像データをプロジェクタ２に出力し、複数の画像データを割り付けて映し出す（ステップＳ６）。【選択図】図６
2007033936.tif 000002
【特許請求の範囲】
【請求項１】
独立して広告内容を構成する情報と、広告を引き立たせる補助内容を構成する情報のうち、少なくとも前者の情報一つを含んだ複数の情報を出力する広告出力方法であって、
前記情報をその形式に関わらず複数入力する情報入力工程と、
前記情報入力工程により入力された情報の形式をそれぞれ識別する識別工程と、
前記識別工程により識別されたそれぞれの情報に関し、表示位置、大きさ、および、重なる場合の表示の優先順位を設定する設定工程と、
前記設定工程により設定された表示位置、大きさ、および、表示の優先順位に従って、前記それぞれの情報を一画面内に割り付ける割付工程と、
前記割付工程により一画面内に割り付けられた個々の情報をそれぞれ独立に表示ないし再生する表示再生工程と、
を含んだことを特徴とする広告出力方法。
【請求項２】
前記独立して広告内容を構成する情報または広告を引き立たせる補助内容を構成する情報は、テキスト情報、静止画像、複数の静止画像を所定時間間隔で切り替え反復させる反復情報、または、動画であることを特徴とする請求項１に記載の広告出力方法。
【請求項３】
前記設定工程により設定される各情報に関する表示位置、大きさ、および、表示の優先順位をそれぞれ変更する変更工程と、
前記変更工程により変更された情報に応じて割り付けをおこなうように前記割付工程を制御する制御工程と、
を含んだことを特徴とする請求項１または２に記載の広告出力方法。
【請求項４】
独立して広告内容を構成する情報と、広告を引き立たせる補助内容を構成する情報のうち、少なくとも前者の情報一つを含んだ複数の情報を出力する広告出力装置であって、
前記情報をその形式に関わらず複数入力する情報入力手段と、
前記情報入力手段により入力された情報の形式をそれぞれ識別する識別手段と、
前記識別手段により識別されたそれぞれの情報に関し、表示位置、大きさ、および、重なる場合の表示の優先順位を設定する設定手段と、
前記設定手段により設定された表示位置、大きさ、および、表示の優先順位に従って、前記それぞれの情報を一画面内に割り付ける割付手段と、
前記割付手段により一画面内に割り付けられた個々の情報をそれぞれ独立に表示ないし再生する表示再生手段と、
を備えることを特徴とする広告出力装置。
【請求項５】
前記独立して広告内容を構成する情報または広告を引き立たせる補助内容を構成する情報は、テキスト情報、静止画像、複数の静止画像を所定時間間隔で切り替え反復させる反復情報、または、動画であることを特徴とする請求項４に記載の広告出力装置。
【請求項６】
前記設定手段により設定される各情報に関する表示位置、大きさ、および、表示の優先順位をそれぞれ変更する変更手段と、
前記変更手段により変更された情報に応じて割り付けをおこなうように前記割付手段を制御する制御手段と、
を備えることを特徴とする請求項４または５に記載の広告出力装置。
【請求項７】
動画の情報を格納する動画格納手段と、
前記動画格納手段により格納された動画の情報を、前記表示再生手段によりそのまま出力可能な形式として出力する動画出力手段と、を備え、
前記情報入力手段では前記動画出力手段により出力された動画の情報を入力することを特徴とする請求項４〜６のいずれか一つに記載の広告出力装置。
【発明の詳細な説明】
【技術分野】
【０００１】
本発明は、広告出力方法および広告出力装置に関し、特に、一つの画面内に、独立して認識できる複数の広告を割り付けて表示する広告出力方法および広告出力装置に関する。
【背景技術】
【０００２】
従来、プロジェクタにより画像を拡大して壁等に表示したり、大型のスクリーンを設置しそのスクリーンに画像を表示したりする等、画像を表示することにより各種の広告宣伝が行われている。このような広告宣伝では、人目を惹きやすい画像を用いたり、画像に併せて興味をもちやすい音声を流したりするなど、人に関心を抱かせるための工夫がなされており、これにより、人の目を広告内容に向かせて広告宣伝効果をあげることが可能となっていた（たとえば、特許文献１参照）。
【０００３】
【特許文献１】特開２００４−２４０１１８号公報
【発明の開示】
【発明が解決しようとする課題】
【０００４】
しかしながら、従来の技術では以下の問題点があった。
すなわち、上記特許文献１の広告宣伝方法を含めて、従来の広告宣伝方法では、様々な画像を表示させることが可能であり一時的に人目を惹くことができるものの、高い広告宣伝効果をあげるに至っていないことが多い。
【０００５】
たとえば、画像広告には、通常、画面に対して一つの広告内容を表示させるのみであるため、単純かつ単調な広告宣伝とならざるを得ない。
具体的に説明すると、ディスプレイを用いて映像を表示させる場合には、ディスプレイ上に一つの映像のみを表示させるため、一度に一つの広告内容のみしか伝えることができない。よって、その内容が人目を惹くものか広告内容を把握させるものかのいずれかに偏ることが多い。従って、表示内容が人目を惹くものに偏ると広告内容が分かりにくく、広告内容を把握させるものに偏ると、面白味に欠け、人目を惹くことが難しくなる。
さらに、表示内容が人目を惹くものであったとしても、その表示内容に関して趣味感の一致する人限定となり、多くの潜在的需要者に訴えることができない。
【０００６】
そこで、複数のディスプレイを設置することにより、複数種類の映像を同時に表示することも考えられるが、この方法では、コストが高くなってしまい、また、煩雑な感じを与え、かえって見苦しくなってしまう。
また、映画の字幕のように、映像の縁の部分に広告内容を写すことで、複数種類の情報を同時に表示させることも考えられる。しかしながら、この方法では、人が興味をもつのは映像であって字幕ではなく、また字幕が目立たないため、広告宣伝効果を十分にあげているとは言い難い。一方、広告内容を認識させることに重点をおき、字幕を縁の部分のみでなく映像に大きく重ねると、映像が字幕に邪魔されてしまうため、映像の面白味が欠け、人目を惹くことが難しくなる。
【０００７】
本発明は上記に鑑みてなされたものであって、全体的にまとまりがありながら複数の情報を同時に伝えることが可能で、かつ、それぞれの情報を十分に認識ないし把握させることが可能な広告出力方法および広告出力装置を提供することを目的とする。
【課題を解決するための手段】
【０００８】
上記の目的を達成するために、請求項１に記載の広告出力方法は、独立して広告内容を構成する情報と、広告を引き立たせる補助内容を構成する情報のうち、少なくとも前者の情報一つを含んだ複数の情報を出力する広告出力方法であって、前記情報をその形式に関わらず複数入力する情報入力工程と、前記情報入力工程により入力された情報の形式をそれぞれ識別する識別工程と、前記識別工程により識別されたそれぞれの情報に関し、表示位置、大きさ、および、重なる場合の表示の優先順位を設定する設定工程と、前記設定工程により設定された表示位置、大きさ、および、表示の優先順位に従って、前記それぞれの情報を一画面内に割り付ける割付工程と、前記割付工程により一画面内に割り付けられた個々の情報をそれぞれ独立に表示ないし再生する表示再生工程と、を含んだことを特徴とする。
【０００９】
すなわち、請求項１に記載の発明は、複数の情報を表示ないし再生するので、全体的にまとまりをもたせつつ、情報の組み合わせにより様々な演出をおこなうことができ、多様性に富む広告をおこなうことができる。また、複数の情報を一画面内に割り付けて表示ないし再生するので、各情報をそれぞれ十分に認識させることができる。たとえば、一つの情報は広告内容そのもの（たとえばペットの理容）を構成するものとし、他の情報は看者の趣味感に応じた関連情報ないし周辺情報（例えば、ペットの動画や動物病院の紹介）といった補助内容を構成するものとすることで、一方で広告内容を十分に把握させながら、他方で広告を引き立たせるもしくは広告に注意を移行させるような演出が可能となり、高い広告宣伝効果をあげることが可能となる。
なお、表示ないし再生する方法としては、プロジェクタにより画像を壁等に映し出すことや大型のディスプレイに画像を映し出すこと等があげられる。
また、以降において、広告内容を構成する情報を広告情報と、広告を引き立たせる補助内容を構成する情報を補助情報と、それぞれ適宜称するものとし、それらを区別しない場合には、単に情報と適宜称するものとする。
【００１０】
また、請求項２に記載の広告出力方法は、請求項１に記載の広告出力方法において、前記独立して広告内容を構成する情報または広告を引き立たせる補助内容を構成する情報は、テキスト情報、静止画像、複数の静止画像を所定時間間隔で切り替え反復させる反復情報、または、動画であることを特徴とする。
【００１１】
すなわち、請求項２に記載の発明は、様々な形式の情報を用いるので、一層多様性に富む広告をおこなうことができる。
【００１２】
また、請求項３に記載の広告出力方法は、請求項１または２に記載の広告出力方法において、前記設定工程により設定される各情報に関する表示位置、大きさ、および、表示の優先順位をそれぞれ変更する変更工程と、前記変更工程により変更された情報に応じて割り付けをおこなうように前記割付工程を制御する制御工程と、を含んだことを特徴とする。
【００１３】
すなわち、請求項３に記載の発明は、状況に応じて広告のレイアウトを変更できるので、いわゆるマンネリを防ぎ、同一素材であっても幾重にも印象の異なる広告をおこなうことができる。
【００１４】
また、請求項４に記載の広告出力装置は、独立して広告内容を構成する情報と、広告を引き立たせる補助内容を構成する情報のうち、少なくとも前者の情報一つを含んだ複数の情報を出力する広告出力装置であって、前記情報をその形式に関わらず複数入力する情報入力手段と、前記情報入力手段により入力された情報の形式をそれぞれ識別する識別手段と、前記識別手段により識別されたそれぞれの情報に関し、表示位置、大きさ、および、重なる場合の表示の優先順位を設定する設定手段と、前記設定手段により設定された表示位置、大きさ、および、表示の優先順位に従って、前記それぞれの情報を一画面内に割り付ける割付手段と、前記割付手段により一画面内に割り付けられた個々の情報をそれぞれ独立に表示ないし再生する表示再生手段と、を備えることを特徴とする。
【００１５】
すなわち、請求項４に記載の発明は、複数の情報を表示ないし再生するので、全体的にまとまりがありながら、情報の組み合わせによって様々な演出をおこなうことができ、多様性に富む広告をおこなうことができる。
また、複数の情報を一画面内に割り付けて表示ないし再生するので、各情報を十分に認識させることができる。たとえば、一つの情報は広告内容そのものを構成するものとし、他の情報は看者の趣味感に応じた関連情報ないし周辺情報といった補助内容を構成するものとすることで、一方で広告内容を十分に認識させながら、他方で広告を引き立たせることが可能となり、高い広告宣伝効果をあげることが可能となる。
なお、表示再生手段としては、プロジェクタや大型のディスプレイ等があげられる。
【００１６】
また、請求項５に記載の広告出力装置は、請求項４に記載の広告出力装置において、前記独立して広告内容を構成する情報または広告を引き立たせる補助内容を構成する情報は、テキスト情報、静止画像、複数の静止画像を所定時間間隔で切り替え反復させる反復情報、または、動画であることを特徴とする。
【００１７】
すなわち、請求項５に記載の発明は、様々な形式の情報を用いるので、一層多様性に富む広告をおこなうことができる。
【００１８】
また、請求項６に記載の広告出力装置は、請求項４または５に記載の広告出力装置において、前記設定手段により設定される各情報に関する表示位置、大きさ、および、表示の優先順位をそれぞれ変更する変更手段と、前記変更手段により変更された情報に応じて割り付けをおこなうように前記割付手段を制御する制御手段と、を備えることを特徴とする。
【００１９】
すなわち、請求項６に記載の発明は、状況に応じて一度表示ないし再生したレイアウトを変更できるので、マンネリを防ぎ、適切な広告をおこなうことができる。
【００２０】
また、請求項７に記載の広告出力装置は、請求項４〜６のいずれか一つに記載の広告出力装置において、動画の情報を格納する動画格納手段と、前記動画格納手段により格納された動画の情報を、前記表示再生手段によりそのまま出力可能な形式として出力する動画出力手段と、を備え、前記情報入力手段では前記動画出力手段により出力された動画の情報を入力することを特徴とする。
【００２１】
すなわち、請求項７に記載の発明は、情報量の多い動画の情報が予め処理されるので、情報を扱う際の負荷を軽減でき、他の情報を円滑に処理できる。よって、質の高い表示ないし再生をおこなうことができ、高い広告宣伝効果をあげることができる。なお、そのまま出力可能な形式とは、たとえばライン入力によりＣＲＴ表示可能な形式などを意味する。
【発明の効果】
【００２２】
以上のように、本発明（請求項１）によれば、全体的にまとまりがありながら、情報の組み合わせによって様々な広告をおこなうことができ、多様性に富む広告をおこなうことができる。また、本発明（請求項２）によれば、一層多様性に富む広告をおこなうことができる。また、本発明（請求項３）によれば、状況に応じた適切な広告をおこなうことができる。また、本発明（請求項４）によれば、全体的にまとまりがありながら、情報の組み合わせによって様々な広告をおこなうことができ、多様性に富む広告をおこなうことができる。また、本発明（請求項５）によれば、一層多様性に富む広告をおこなうことができる。また、本発明（請求項６）によれば、状況に応じた適切な広告をおこなうことができる。また、本発明（請求項７）によれば、質の高い表示ないし再生をおこなうことができ、高い広告宣伝効果をあげることができる。
【発明を実施するための最良の形態】
【００２３】
以下、本発明の実施の形態を図面を参照しながら詳細に説明する。
図１は、本発明の広告出力方法を適用した広告出力装置を簡略的に示した図である。
広告出力装置１００は、パソコン１と、パソコン１に接続されたプロジェクタ２と、パソコン１に接続されたＤＶＤプレイヤ３とを備えている。
広告出力装置１００は、後述するように、パソコン１内に格納された広告情報ないし補助情報、並びに、ＤＶＤに格納された広告情報ないし補助情報（特に動画）をプロジェクタ２を用いて店頭や街頭等に配置された画面４１に映し出し、看者に対して広告内容を認識させて、広告宣伝をおこなうものである。
【００２４】
図２は、プロジェクタ２により映し出された画面４１を示した図である。
画面４１は、広告出力装置１００によって広告宣伝用の画面として用いられるものであって、プロジェクタ２により映し出される略長方形状の画面である。
画面４１では、静止画像５１、反復画像５２、第一動的画像５３および第二動的画像５４の４つの画像が割り付けられて表示されている。
【００２５】
静止画像５１は、常に同一の画像が表示されるものであって、その表示面が略長方形状であり、画面４１の左上の約４分の１の面積を占めている。また、図示を省略するが、静止画像５１は、広告内容そのものを構成する文字（テキスト）により構成される画像である。
反復画像５２は、所定時間間隔で複数の静止画像を切り替え反復させて表示させるものであって、その表示面が略長方形状であり、画面４１の左下の約４分の１の面積を占めている。
第一動的画像５３は、動画が表示されるものであって、その表示面が略長方形状であり、画面４１の右上の約４分の１の面積を占めている。
第二動的画像５４は、動画が表示されるものであって、その表示面が略長方形状であり、画面４１の右下の約４分の１の面積を占めている。
【００２６】
また、図示は省略するが、反復画像５２、第一動的画像５３および第二動的画像５４は、看者の趣味感に応じた関連情報ないし周辺情報といった、広告を引き立たせる補助内容を構成する画像である。
このように、広告出力装置１００によって映し出される画面４１には、４種類の画像が割り付けられて表示されている。本実施の形態では、静止画像５１が、広告内容そのものであり、他の情報は広告を引き立たせる補助内容である。このようにして広告出力装置１００は、看者に対して広告内容を十分に認識ないし把握させながら、広告を引き立たせ、多様性に富む広告をおこなう。
【００２７】
図３は、パソコン１のハードウエア構成の一例を示した図である。
パソコン１は、そのハードウエア構成として、ＣＰＵ１１と、ＲＯＭ１２と、ＲＡＭ１３と、ハードディスク（ＨＤ）１４と、グラフィックスカード１５とを備えている。
ＣＰＵ１１は、ＯＳとともにパソコン１全体を制御する。具体的には、ＣＰＵ１１は、ハードディスク１４やＲＯＭ１２に格納されているプログラムに従って、ハードディスク１４やＤＶＤプレイヤ３から情報を読み出したり、ハードディスク１４に情報を格納したりする。
【００２８】
ＲＯＭ１２は、各種のプログラムを記憶する。使用の態様によっては、ＲＯＭ１２は、パソコン１の制御プログラムを格納しておいてもよい。
ＲＡＭ１３は、ＣＰＵ１１のワークエリアとして使用する。具体的には、ハードディスク１４から読み出された情報を一時的に格納する。
ハードディスク１４は、オペレーティングシステム（ＯＳ）、アプリケーションプログラム、ドライバ等の各種ソフトウエアプログラム（ソフトウエア）を記憶するものであり、アプリケーション部１４１を備えている。
【００２９】
アプリケーション部１４１は、パソコン１の全体を制御するＯＳ１４２と、広告宣伝を開始する起動プログラム１４３と、静止画像情報１４４と、反復画像情報１４５と、設定情報１４６とを備えている。
静止画像情報１４４は、静止画像５１として表示されている画像の情報である。
反復画像情報１４５は、反復画像５２として表示されている画像の情報であって、図示は省略するが、複数の静止画像情報と各静止画像を表示する時間の情報とを備えている。
設定情報１４６は、静止画像情報１４４、反復画像情報１４５、後述の第一動的画像情報３６１および第二動的画像情報３６２のそれぞれに関して、画像を画面４１に表示させる際に、画面４１上における表示位置、大きさ、および、重なる場合の表示の優先順位を設定する情報である。
【００３０】
グラフィックスカード１５は、プロジェクタ２へ出力すべき画像信号を出力する。グラフィックスカード１５は、出力すべき画像信号を格納するＶＲＡＭと、処理された画像信号をプロジェクタ２へ出力する画像出力インターフェース（画像出力Ｉ／Ｆ）も備えている。画像出力Ｉ／Ｆは、ＶＲＡＭに展開されたＲＧＢ画像データをプロジェクタ２に出力する。また、画像入力インターフェース（画像入力Ｉ／Ｆ）も備え、映像のライン入力も可能となっている。
【００３１】
図４は、ＤＶＤプレイヤ３のハードウエア構成の一例を示した図である。
ＤＶＤプレイヤ３は、そのハードウエア構成として、ＣＰＵ３１と、ＲＯＭ３２と、ＲＡＭ３３と、ハードディスク（ＨＤ）３４と、グラフィックスカード３５と、ＤＶＤ３６とを備えている。
ＣＰＵ３１は、ＯＳとともにＤＶＤプレイヤ３全体を制御する。具体的には、ＣＰＵ３１は、ハードディスク３４やＲＯＭ３２に格納されているプログラムに従って、ハードディスク３４やＤＶＤ３６から情報を読み出す。
ＲＯＭ３２は、各種のプログラムを記憶する。使用の態様によっては、ＲＯＭ３２は、ＤＶＤプレイヤ３の制御プログラムを格納しておいてもよい。
ＲＡＭ３３は、ＣＰＵ３１のワークエリアとして使用する。具体的には、ＤＶＤ３６から読み出された情報を一時的に格納したり、圧縮を伸長したりする。
【００３２】
ハードディスク３４は、オペレーティングシステム（ＯＳ）、アプリケーションプログラム、ドライバ等の各種ソフトウエアプログラム（ソフトウエア）を記憶するものであり、アプリケーション部３４１を備えている。
アプリケーション部３４１は、ＤＶＤプレイヤ３の全体を制御するＯＳ３４２を備えている。
【００３３】
グラフィックスカード３５は、パソコン１へ出力すべき画像信号を出力する。グラフィックスカード３５は、出力すべき画像信号を格納するＶＲＡＭと、処理された画像信号をパソコン１へ出力する画像出力インターフェース（画像出力Ｉ／Ｆ）も備えている。画像出力Ｉ／Ｆは、ＶＲＡＭに展開されたＲＧＢ画像データをパソコン１に出力する。
ＤＶＤ３６は、第一動的画像情報３６１と、第二動的画像情報３６２とを備えている。
第一動的画像情報３６１は、第一動的画像５３として表示される動画の情報である。
第二画像情報３６２は、第二動的画像５４として表示される動画の情報である。なお、図では、単一のＤＶＤ内に二つの動画が格納されているように見えるが、独立に映像が出力可能となっているものとする。
【００３４】
次に広告出力装置１００の機能的構成について説明する。
図５は、広告出力装置１００の機能的構成の一例を示した図である。
広告出力装置１００は、その機能的構成として、情報入力部６１と、識別部６２と、設定部６３と、割付部６４と、表示再生部６５と、動画格納部６６と、動画出力部６７とを備えている。
情報入力部６１は、情報をその形式に関わらず複数入力する。情報の入力は、格納されている各情報を読み出すまたは受け取ることにより行われる。情報入力部６１は、たとえば、ＣＰＵ１１、ＲＯＭ１２、ＲＡＭ１３、起動プログラム１４３などによりその機能を実現することができる。
【００３５】
識別部６２は、情報入力部６１により入力された情報の形式をそれぞれ識別する。ここで、情報の形式を識別するとは、具体的には、情報が静止画像、反復画像、動的画像のいずれであるか、および、画像ないし映像の形式（ＧＩＦ、ＪＰＥＧ、ＢＭＰ、ＴＩＦＦ、ＭＰＥＧ、ＡＶＩ、ＷＭＰなど）を識別することをいう。識別部６２は、たとえば、ＣＰＵ１１、ＲＯＭ１２、ＲＡＭ１３、起動プログラム１４３などによりその機能を実現することができる。
設定部６３は、識別部６２により識別されたそれぞれの情報に関し、表示位置、大きさ、および、重なる場合の表示の優先順位を設定する。設定内容は、それぞれの情報に関連付けられて、ハードディスク１４に格納される。設定部６３は、たとえば、ＣＰＵ１１、ＲＯＭ１２、ＲＡＭ１３、ハードディスク１４、起動プログラム１４３などによりその機能を実現することができる。
【００３６】
割付部６４は、設定部６３により設定された表示位置、大きさ、および、表示の優先順位に従って、それぞれの情報を一画面内に割り付ける。割付部６４は、ＣＰＵ１１、ＲＯＭ１２、ＲＡＭ１３、グラフィックスカード１５、起動プログラム１４３などによりその機能を実現することができる。
表示再生部６５は、割付部６４により割り付けられた個々の情報をそれぞれ表示ないし再生する。これにより、広告情報および補助情報を複数表示させることが可能となる。表示再生部６５は、たとえば、ＣＰＵ１１、ＲＯＭ１２、ＲＡＭ１３、プロジェクタ２、起動プログラム１４３などにより機能を実現することができる。
【００３７】
動画格納部６６は、動画の情報を格納する。動画格納部６６は、たとえば、ＤＶＤ３６などによりその機能を実現することができる。
動画出力部６７は、動画格納部６６により格納された動画の情報を、表示再生部６５によりそのまま出力可能な形式として出力する。動画出力部６７は、たとえば、ＣＰＵ３１、ＲＯＭ３２、ＲＡＭ３３、グラフィックスカード３５、起動プログラム１４３などにより機能を実現することができる。
【００３８】
次に、広告出力装置１００による広告宣伝の流れについて説明する。
図６は、広告出力装置１００による広告宣伝の流れを示したフローチャートである。
まず、ユーザによりパソコン１上で所定の操作がされると、ＣＰＵ１１がアプリケーション部１４１から起動プログラム１４３を立ち上げる処理をおこなう（ステップＳ１）。そして、起動プログラム１４３に従って、ＣＰＵ１１を介してハードディスク１４のアプリケーション部１４１から、静止画像情報１４４および反復画像情報１４５を読み出す。また、ＤＶＤ３６から第一動的画像情報３６１および第二動的画像情報３６２を読み出し、その情報に応じて出力すべき画像信号をＶＲＡＭに展開する。そして、ＶＲＡＭに展開された画像データをパソコン１へ出力する（ステップＳ２）。
【００３９】
次いで、識別部６２は、入力されたそれぞれの情報の形式を識別し（ステップＳ３）、設定部６３により設定された設定情報１４６を読み出す（ステップＳ４）。なお、この際の設定は、プロジェクタ２により設定用の画面を映し出し、その画面上でそれぞれユーザが対話的に操作し設定するものであっても良いし、初期設定情報などをそのまま利用するものであっても良い。ここでは、初期設定により、各情報に基づく画像が画面を等面積に分割するように設定されるものとする。
【００４０】
そして、設定情報１４６に従いそれぞれの情報に応じて、出力すべき画像信号をそれぞれグラフィックスカード１５に展開する。具体的には、各画像を一画面内に割り付けるようにしてぞれぞれの画像信号を出力する（ステップＳ５）。そして、ＶＲＡＭに展開されたＲＧＢ画像データをプロジェクタ２に出力し、プロジェクタ２がその画像データを映し出す（ステップＳ６）。表示画面は、図２に示したような画面４１となり、複数の情報が１画面内に割り付けられて表示される。
【００４１】
また、この状態から画面４１内のレイアウトを変更することもできる。すなわち、図示は省略するが、パソコン１は、たとえばマウスを備えており、レイアウトを変更する場合は、マウスを操作して画面４１上で各画像をクリック、ドラッグ等することで、その表示位置、大きさ、重なる場合の優先順位を変更し、その内容が表示される（ステップＳ７でＹＥＳ→ステップＳ８→ステップＳ５→ステップＳ６）。この状態の画面２１を図７に示した。
【００４２】
以上のように、この実施形態では、複数の情報を表示ないし再生するので、全体的にまとまりがありながら、情報の組み合わせによって様々な広告をおこなうことができ、多様性に富む広告をおこなうことができる。
また、複数の情報を一画面内に割り付けて表示ないし再生するので、各情報を十分に認識ないし把握させることができる。
また、様々な形式の情報を用いるので、一層多様性に富む広告をおこなうことができる。
また、状況に応じて広告のレイアウトを変更できるので、適切な広告をおこなうことができる。
また、情報量の大きい第一動的画像情報３６１および第二動的画像情報３６２を予め処理するので、パソコン１で情報を扱う際の負荷を軽減でき、他の情報を円滑に処理できる。よって、質の高い表示ないし再生をおこなうことができ、高い広告宣伝効果をあげることができる。
【００４３】
この発明は、以上説明した実施形態に限定されるものではなく、請求項に記載の範囲内において種々の変更が可能である。たとえば、パソコン１にライン入力端子を設け、ＤＶＤプレイヤ３とは異なる動画も取り扱えるようにしても良い。たとえば、キャプチャ画像を取り込むことも可能となる。なお、上述の例は、１画面内に４画面を設ける態様であるが、これに限定されることなく、３画面でも６画面であっても良い。このとき、すべてを広告情報とすることもでき、状況に合わせて補助情報を組み込むことができる。
【図面の簡単な説明】
【００４４】
【図１】本発明の広告出力方法を適用した広告出力装置を簡略的に示した図である。
【図２】プロジェクタにより映し出された画面を示した図である。
【図３】パソコンのハードウエア構成の一例を示した図である。
【図４】ＤＶＤプレイヤのハードウエア構成の一例を示した図である。
【図５】広告出力装置の機能的構成の一例を示した図である。
【図６】広告出力装置による広告宣伝の流れを示したフローチャートである。
【図７】レイアウトを変更した画面を示した図である。
【符号の説明】
【００４５】
５１      静止画像
５２      反復画像
５３      第一動的画像
５４      第二動的画像
６１      情報入力部
６２      識別部
６３      設定部
６４      割付部
６５      表示再生部
６６      動画格納部
６７      動画出力部
【図１】
2007033936.tif 000003
【図２】
2007033936.tif 000004
【図３】
2007033936.tif 000005
【図４】
2007033936.tif 000006
【図５】
2007033936.tif 000007
【図６】
2007033936.tif 000008
【図７】
2007033936.tif 000009